(57)【要約】【課題】酸化物が結合し若しくは酸化汚泥物の混在する酸化水を還元浄化基材の流通間隙を大きな接触面積と接触流通抵抗で流通せしめ、微細な水素分子の生成と且微弱磁気波により生成水素を振動せしめ酸素を解離せしめ、還元浄化水となす還元浄化装置。【解決手段】還元浄化基材が流紋岩でその石基がガラス質で主要成分が酸化珪素７０及至８０％、酸化カリウム４，０及至５，０％、酸化カルシウム０，４及至０，５％、及び酸化マグネシウムが０，１及至０，２％割合で且微弱磁力線を放射しうると共にこの基材を粒径若しくは粒長３及至１０ｍｍに破砕のうえ、これが漏出せぬ編織目合に編織されたフィルター材で包着して還元浄化フィルターとなし、この還元浄化フィルターを並設のうえ、多量の酸化水の流水により移動や変形せぬよう且通水孔が設けられた上面板及び下面板からなる透水枠体により挟着保持された構成。【選択図】図４
2018058055.tif 000002
【特許請求の範囲】
【請求項１】
還元浄化基材が流紋岩からなり、その石基がガラス質で主要成分が酸化珪素７０及至８０％、酸化カリウム４，０及至５，０％、酸化カルシウム０，４及至０，５％、及び酸化マグネシウム０，１及至０，２％割合で、且微力磁力線が放射しうるとともに、その粒径若しくは粒長を３及至１０ｍｍに破砕のうえ、この基材が漏出せぬ編織目合で編織されたフィルター材で包着して還元浄化フィルターとなし、この還元浄化フィルターを所要透水面積に並設せしめて多量且高速に通水される酸化水により変形や移動せぬよう、還元浄化フィルターを挟着しえ且均等に酸化水を分散流通せしめる通水孔が全体に亘って形成された上面板及び下面板からなる透水枠体で挟持され、而もこの透水枠体全体が漏水防止包被具で包被された構成の水の還元浄化装置。
【請求項２】
上面板及び下面板からなる透水枠体の下面板下方に複下面板が設けられ、且この複下面板に所要透水面積に還元浄化基材が並設され挟持されてなる請求項１記載の水の還元浄化装置。
【請求項３】
上面板及び下面板からなる透水枠体内、若しくはその下面板下方に複下面板が設けられ、これら透水枠体内に還元浄化フィルターが並設挟着され、且この全体を漏水防止包被具で包被させて還元浄化ユニットとなし、この還元浄化ユニットが複数配位されてなる請求項１若しくは請求項２記載の水の還元浄化装置。
【発明の詳細な説明】
【技術分野】
【０００１】  本発明は水道水や井戸水等多様に酸化されてなる酸化水を接触流通させるのみで極めて短時に且多量安価に還元浄化し、以って水のコクと旨味の向上及び安全性を著しく高める水の還元浄化装置に関する。
【従来技術】
【０００２】  水は生活における飲用水はもとより、食品加工用水、調理用水、料理水、浴用水や銭湯水、プール用水、景観用水，或いは洗浄水に至るまで膨大量が使用されている。
ところで現状使用の水は河川水を塞き止め採取し、若しくは地下への浸透水を汲み上げたうえ、混濁物の濾過と且塩素殺菌により見掛上の安全性を保持させている。
而して今日の如く産業発展と共に山間部はもとより郊外や僻地に至るまでレジャー施設を初め保養所や別荘等が立設され原理や山林の筏栽に加えて、道路や駐車場或いはこれらに付帯する設備等の美化のための植林や花壇に育成肥料や病害虫防止剤が多量に散布され、これらが降雨とともに溶出し河川水となり、或いは住居や店舗の都市部への集中化に対抗して臭気や騒音発生企業や養鶏養豚業者等の移設もなされ、これらからの汚水や廃液等も下水道設備の未整備により、その多くが地中へと浸透排出され、以って地下水の汚染も著しく増大化されている。
【０００３】  これがため河川水より取水し、若しくは地下水を汲み上げてなる水道用原水には、極めて多種多様の酸化物の混在結合や汚濁物の混合がなされている。従ってこれらを水源とする水道水は混濁物を濾除するために砂濾過や膜濾過のうえ塩素殺菌を施したものであって、見掛上は清浄化と安全性を保持されている。
しかしながらこれら河川水や地下水等は、多種多様な酸化物の結合や酸化物の混濁により酸化水と化しており、原初の還元水に比べてコクや味覚にも著しく劣り飲用水はもとより加工食品、調味料、ジュース類ばかりか調理食品における味覚や風味も劣悪化し、とりわけ多種多様の酸化物の結合や混在による活性酸素の付加増長による健康阻害も危惧されている。
【０００４】  発明者は水道水のかかる問題に鑑み鋭意研究を重ねた結果、水道水が酸化水と化する原因は雨水の流水や地下浸透に伴って多種多様な酸化物の結合や酸化汚濁物の混合にある。従って結合する酸化物や混合する酸化汚濁物の酸素を解離させることで、酸化水の還元水化が可能になることに想到し本発明に至った。
【発明の概要】
【発明が解決しようとする課題】
【０００５】  本発明は酸化物が結合し若しくは酸化汚濁物の混在する酸化水を還元浄化基材の流通間隙内を大きな接触面積と接触流通抵抗で流通せしめて微細な水素分子を多数生成せしめ、且微弱磁気波により生成水素分子を振動せしめて、結合酸化物や酸化汚濁物の酸素を解離させ還元浄化水となす、水の還元浄化装置の提供にある。
【課題を解決するための手段】
【０００６】  上述の課題を解決するために本発明が採用した技術的手段は、還元浄化の基材として、流紋岩からなりその石基がガラス質でその主要成分が酸化珪素７０及至８０％、酸化カリウム４，０及至５，０％、酸化カルシウム０，４及至０，５％、及び酸化マグネシウム０，１及至０，２％割合からなり、且微弱磁力線を放射しえるとともにこの基材をその粒径若しくは粒長が略３及至１０ｍｍに破砕させたうえ、その重量において略１００ｇ及至１０００ｇを、この破砕基材が漏出せぬ織目合若しくは編目合に編織されたフィルター材により包着せしめて還元浄化フィルターとなしたるうえ、この還元浄化フィルターの全面に流速の速い酸化水を接触流通せしめて還元浄化基材の主要成分と反応させて微細な水素分子を多量に生成せしめ、且この生成された微細水素分子を該還元浄化基材の特質たる微弱磁気波により振動せしめて、酸化水に結合し若しくは混濁酸化物の酸素を解離せしめて、還元浄化を図るとともに酸素の解離により活性酸素の付加生成も抑制されて健康的な水ともなる。
そして酸化水を均質且能率的に還元浄化水となす場合には還元浄化基材が包着された還元浄化フィルター全面に均等に且高速に流通させることが望まれ、これがためには、還元浄化フィルターを並列配位させるのみでは、多量且高速の水流によって変形し若しくは移動し却って均質能率的還元浄化水の生成が至難となるため、該還元浄化フィルターを所要の面積で上面及び下面が挟持しえ、而もその上面及び下面には略均等な間隔と径の通水孔が形成された通水保持板に挟持させて使用される構成からなる。
【発明の効果】
【０００７】  本発明は上述の如き構成からなるもので水道水や井戸水等の酸化水を還元浄化基材として流紋岩からなりその石質がガラス質で且主要成分が酸化珪素７０及至８０％、酸化カリウム４，０及至５，０％、酸化カルシウム０，４及至０，５％、及び酸化マグネシウム０，１及至０，２％割合からなり、而も微力磁力線を放射しえ  更にこの還元浄化基材はその粒径若しくは粒長が３及至１０ｍｍに破砕されてなるため多角多様な形状であるから、酸化水の流通に際し膨大な接触流通面積と接触流通し、且多角多様な形状でされる流通間隙内で多大な流水抵抗を受けて多量の微細水素分子が生成され、併せて還元浄化基材は微弱磁気波も放射するため、酸化水に結合し或いは混濁酸化物の酸素が解離され、還元浄化水と化し  而も活性酸素の付加生成も防止され安全性の高い水が生成される。
加えて本発明還元浄化基材はその漏水が防止される編目合若しくは編目合に編織されたフィルター材で、略１００及至１０００ｇに包着されて還元浄化フィルターとされるため、この還元浄化フィルターに多量且高速に通水される酸化水に対抗保持されるよう透水枠体内に１及至２層に並列配置されて圧着固定されてなるため、高速且多量に通水される酸化水は、該透水枠体の透水孔で分散され、而してこの透水枠体内に１及至２層に亘って並列配置された降起状の還元浄化フィルターの降起に沿って分流され、而してフィルター材を透過のうえ膨大な接触流通面積と複雑多様な流通間隙により大きな流通抵抗も付加され、以って多量の微細水素分子が生成され且還元浄化基材の微弱磁力線により結合酸化物中混濁酸化物の酸素の解離がなされ、還元浄化水の活性酸素の付加生成も抑制され、健康的にも安全な水が形成される。
【図面の簡単な説明】
【０００８】
【図１】還元浄化フィルターの見取図である。
【図２】還元浄化フィルターの断面説明図である。
【図３】透水枠体の使用説明図である。
【図４】本発明  水の還元浄化具の使用態様図である。
【発明を実施するための形態】
【０００９】  以下に本発明の実施の形態を図１及至図４に基づいて詳細に説明する。
【００１０】  図１は還元浄化フィルターの１の見取図であって該還元浄化フィルター１は、その内部に酸化水８と接触流通せしめて、多量の微細水素分子を生成させ、且この生成された微細水素分子に微弱磁力線を放射せしめ、酸化水の結合酸化物や混濁酸化物の酸素を励起解離させて還元浄化を図り合せて酸素の解離による活性酸素の付加も抑制させ、健康的に安全な還元浄化水９となす。
この還元浄化フィルター１内には酸化水８と接触流通せしめることにより微細な水素分子を多量に生成せしめるため、その基質がガラス質で且その主要成分が酸化珪素７０及至８０％、酸化カリウム４，０及至５，０％、酸化カルシウム０，４及至０，５％、酸化マグネシウム０，１及至０，２％割合からなり、而もガラス質により磁力線を放射する還元浄化基材２に対して、大きな接触流通面積と流通抵抗を付加せしめるため、その粒径若しくは長さが略３．０及至１０ｍｍに破砕されている。
従ってこの還元浄化基材２が漏出せぬよう、強靭で耐水性、耐光性、耐薬品性に優れる合成繊維素材で編織された包着フィルター材３により、通常は略１００ｇ及至１０００ｇが密閉包着されており、且包着には融着接合所謂ヒートシール４によりなされている。
【００１１】  図２は還元浄化フィルター１の断面説明図であって、該図２にて理解される如く、還元浄化基材２の所要重量を包着フィルター材３により包着密閉することにより、還元浄化フィルター１の概略形状は中央部がやや膨らんだ形状となる。そして包着密閉される還元浄化基材２は、その粒径若しくは長さが略３，０及至１０ｍｍに破砕されてなるため、包着された還元浄化基材２の相互間には複雑で不均等な流通間隙５が形成された態様となる。
【００１２】  図３は透水枠体の使用説明図であって、図３のＡにおける透水枠体６は多量に使用される水道水や井戸水等の酸化水８を、その内部に還元浄化基材２が包着されてなる還元浄化フィルター１の全面に亘って多量に速く且分散流通させることにより、還元浄化基材２の相互の流通間隙５内を大きな接触流通面積と複雑不均等による流通抵抗を付加させ、以って多量の微細水素分子を生成せしめることから、この還元浄化フィルター１には多大な加圧と重量の酸化水８が通水付加される。
而して還元浄化フィルター１には黒曜石からなる還元浄化基材２が、還元浄化フィルター１あたり略１００及至１０００ｇ程度で包着されてなるから、この還元浄化フィルター１全体に亘って酸化水８を多量且高速に分散通水せしめるためには、その流水付加により還元浄化フィルター１が移動や変形されぬよう相互に挟着できるよう上面板６Ａ及び下面板６Ｂからなり、且それぞれの上面板６Ａ及び下面板６Ｂには還元浄化フィルター１を挟持し而も酸化水８を均等に分散通水しえる通水孔７Ａ及び７Ｂが形成されており、かかる上面板６Ａと下面板６Ｂにより還元浄化フィルター１全体が挟持されている。この上面板６Ａと下面板６Ｂによる還元浄化フィルター１の挟持に際しては上面板６Ａと下面板６Ｂとを開閉折合せて相互間に挟み込み若しくは取除くことから、上面板６Ａと下面板６Ｂとの折合部分には蝶番６Ｄが用いられ、且他方側には上面板６Ａと下面板６Ｂとが折合挟持させたうえは適宜の留め金６Ｅが設けられている。
かかる場合において還元浄化フィルター１の並置は酸化水８の流水を均等に分散流水させるうえからは成可く一列に並置させることが望まれるが多量の流水が要請される場合には図３Ｂにされる如く、更に複下面板６Ｃ並びに通水孔７Ｃを設け２層に配置することも提案される。因みに還元浄化フィルター１は包着量が略３００ｇでは縦及び横が１２ｃｍ程度、包着量が４００ｇでは縦及び横が１４ｃｍ程度である。
加えて酸化水８を多量且短時に還元浄化させるうえからは供給される酸化水８を十分に供給させ漏水させぬよう、これら上面板６及び下面板６Ｂ或いは複下面板６Ｃ全体には次図の如き漏水防止包被具１０が包被される。
【００１４】図４は本発明の使用態様図であって、実用使用に際しては図示する如く、比較的多量の還元浄化水９を短時に効率良く生成せしめることから図４に示す如く上面板６Ａ及び下面板６Ｂ或いはその下方に複下面板６Ｃを設けて、それぞれの間に所要の重量に還元浄化基材２が所要重量に包着された還元浄化フィルター１を挟持させて還元浄化ユニット６０となしたうえ、この還元浄化ユニット６０には、その上部より酸化水８を成可く短時間内に還元浄化させるため多量に供給することから、この酸化水８を漏水させずに上面板６Ａや下面板６Ｂ若しくは複下面板６Ｃを透水させるため、これら全体が漏水防止包被具１０で包被されている。
そして酸化水８をより短時に有効に還元浄化水９となすためには供給する酸化水８を可能な限り還元浄化フィルター１内に包着されてなる還元浄化基材２により形成される膨大な接触流通面積並びに流通抵抗が付加される必要がある。これがためには図示される如く還元浄化ユニット６０を適宜数段に形成させることで解決される。
而してかかる還元浄化ユニット６０に適宜数流水せしめることで酸化水８は還元浄化水９に生成され、所要の貯水器１１に貯留のうえ使用に供される。
【符号の説明】
【００１５】１    還元浄化フィルター
２    還元浄化基材
３    包着フィルター材
４    ヒートシール
５    流通間隙
６    透水枠体
６Ａ  上面板
６Ｂ  下面板
６Ｃ  複下面板
６Ｄ  蝶番
６Ｅ  留め金
７Ａ  上面板通水孔
７Ｂ  下面板通水孔
７Ｃ  複下面板通水孔
８    酸化水
９    還元浄化水
１０  漏水防止包被具
６０  還元浄化ユニット
【図１】
2018058055.tif 000003
【図２】
2018058055.tif 000004
【図３】
2018058055.tif 000005
【図４】
2018058055.tif 000006